(57)【要約】【課題】光加入者線収容装置（ＯＬＴ）と光カプラを介して複数の光加入者線終端装置（ＯＮＵ）とを光伝送路により接続したＰＯＮシステムに関し、光伝送路断時のレイテンシを低減する。【解決手段】ＯＬＴと、複数のＯＮＵとを、光カプラを介して光伝送路により接続したＰＯＮシステムであって、ＯＮＵは、ＯＬＴから光カプラを介した受信光信号レベルが所定値以下に低下したことを検出して光伝送路断検出信号を出力する信号検出部３２等の信号検出手段と、光伝送路断検出信号を所定時間経過後まで出力しないように保持する状態保持部３３等の状態保持手段と、この状態保持手段により保持された光伝送路断検出信号が出力されない時はＰＯＮリンク確立状態を維持し、状態保持手段により保持された光伝送路断検出信号が出力された時にＰＯＮリンク断処理を行うＰＯＮリンク処理手段とを含む構成を備えている。【選択図】図２
2009065341.tif 000002
【特許請求の範囲】
【請求項１】
光加入者線収容装置と、複数の光加入者線終端装置とを、光カプラを介して光伝送路により接続したＰＯＮシステムに於いて、
前記光加入者線終端装置は、前記光加入者線収容装置から前記光カプラを介した受信光信号レベルが所定値以下に低下したことを検出して光伝送路断検出信号を出力する信号検出手段と、該信号検出手段による光伝送路断検出信号を所定時間経過後まで出力しないように保持する状態保持手段と、該状態保持手段により保持された光伝送路断検出信号が出力されない時はＰＯＮリンク確立状態を維持し、該状態保持手段により保持された光伝送路断検出信号が出力された時にＰＯＮリンク断処理を行うＰＯＮリンク処理手段とを含む構成を備えた
ことを特徴とするＰＯＮシステム。
【請求項２】
前記光加入者終端装置は、前記状態保持手段により前記光伝送路断検出信号を保持して出力しない期間内の前記信号検出手段による光伝送路正常検出信号により、前記光加入者線収容装置に異常通知を行う手段と、該光加入者線収容装置との間のレンジング処理を行う手段とを含む構成を備えたことを特徴とする請求項１記載のＰＯＮシステム。
【発明の詳細な説明】
【技術分野】
【０００１】
本発明は、光加入者線収容装置と複数の光加入者線終端装置との間を、光カプラを介して１対ｎ接続構成としたＰＯＮ（Ｐａｓｓｉｖｅ  Ｏｐｔｉｃａｌ  Ｎｅｔｗｏｒｋ）システムに関する。
【背景技術】
【０００２】
ＰＯＮシステムは、局側の光加入者線収容装置（ＯＬＴ；Ｏｐｔｉｃａｌ  Ｌｉｎｅ  Ｕｎｉｔ）と、加入者側の光加入者線終端装置（ＯＮＵ；Ｏｐｔｉｃａｌ  Ｎｅｔｗｏｒｋ  Ｕｎｉｔ）とを、光カプラを介して１対ｎで、光ファイバからなる光伝送路により接続した構成を有するものであり、１Ｇｂｐｓや１０Ｇｂｐｓの伝送速度でデータ伝送を行うＩＥＥＥ８０２．３ａｈ規格に準拠したＧＥ−ＰＯＮ（Ｇｉｇａｂｉｔ  Ｅｔｈｅｒｎｅｔ（登録商標）−Ｐａｓｓｉｖｅ  Ｏｐｔｉｃａｌ  Ｎｅｔｗｏｒｋ）システムが知られている。このＧＥ−ＰＯＮシステムは、ＥＰＯＮシステムと称される場合もある。又ダブルスター方式のＰＯＮシステムに於ける複数の光加入者線終端装置（以下「ＯＮＵ」と略称する）は、光カプラを介して光加入者線収容装置（以下［ＯＬＴ」と略称する）との間で、光信号によるデータ伝送を行うものであるから、光カプラとＯＬＴとの間の光伝送路上で、それぞれの送信データが時間軸上で衝突状態とならないように、各ＯＮＵの送信タイミングを、ＯＮＵの送信要求情報に従ってＯＬＴ側で指示するものである。
【０００３】
図４は、ＰＯＮシステムの概略説明図であり、４１は局側インタフェース（ＳＮＩ；Ｓｙｓｔｅｍ  Ｎｅｔｗｏｒｋ  Ｉｎｔｅｒｆａｃｅ）と加入者側のＰＯＮインタフェース（ＰＯＮ−ＩＦ）とを備えているＯＬＴ、４２は２分岐カプラ、４３は光スイッチ（光ＳＷ）、４４は４分岐カプラ、４５は８分岐カプラ、４６はＯＮＵを示す。このＯＮＵ４６は、ＰＯＮインタフェース（ＰＯＮ−ＩＦ）と加入者側インタフェース（ＵＮＩ；Ｕｓｅｒ  Ｎｅｔｗｏｒｋ  Ｉｎｔｅｒｆａｃｅ）とを備え、８分岐カプラ４５に、８個のＯＮＵ＃１〜ＯＮＵ＃８のＰＯＮインタフェース（ＰＯＮ−ＩＦ）側を接続し、この８分岐カプラ４５を、４分岐カプラ４４の４個の分岐先にそれぞれ接続することにより、ＯＬＴ４１に対して、合計３２個のＯＮＵ４６を接続することができる。なお、８分岐カプラ４５を４分岐カプラとすると、合計１６個のＯＮＵ４６を接続した構成となる。又１６分岐構成や３２分岐構成の１個の光カプラを用いて、ＰＯＮシステムを構成することも勿論可能である。
【０００４】
又２分岐カプラ４２をＯＬＴ４１側に設け、光スイッチ４３を４分岐カプラ４４側に設けて、２分岐カプラ４２と光スイッチ４３との間を２本の現用、予備の光伝送路で接続し、現用側の光伝送路の断線等の障害発生時に、光スイッチ４３により、予備側の光伝送路に切替えて、光信号によるデータ伝送を継続することができる。又ＯＬＴ４１の送受信処理系統を、現用、予備の二重化構成とし、２分岐カプラ４２を省略して、ＯＬＴ４１のそれぞれの送受信処理系統と光スイッチ４３との間を現用系と予備系との光伝送路により接続し、ＯＬＴ４１の現用系の送受信処理系統又は現用系の光伝送路の障害発生時に、光スイッチ４３により、現用系の光伝送路と予備系の光伝送路とを切替えることにより、ＯＬＴ４１の現用系の送受信処理系統と予備系の送受信処理系統との切替えも行って、光信号による送受信処理を継続することが可能となり、ＰＯＮシステムの信頼性を向上した構成も知られている。
【０００５】
図５は、従来例のシーケンス説明図であり、図４に示す構成に於いて、ＯＬＴ４１とＯＮＵ４６との間で、データ送受信が行われている（データ疎通）時に、例えば、２分岐カプラ４２と光スイッチ４３との間の現用系の光伝送路が断（幹線断発生）となると、ＯＮＵ４６は、光信号のレベル検出等による受信断検出（信号検知断）によって、ＯＬＴ４１とＯＮＵ４２との間のリンク断（ＰＯＮ  Ｌｉｎｋ断）とする。そして、光スイッチ４３により、現用系の光伝送路から予備系の光伝送路に切替える（幹線切替復旧）ことによって、ＯＬＴ４１とＯＮＵ４６との間では、ポイント・ツー・マルチポイントのディスカバリ（Ｐ２ＭＰ（Ｐｏｉｎｔ  ｔｏ  Ｍｕｌｔｉ−Ｐｏｉｎｔ）  Ｄｉｓｃｏｖｅｒｙ）処理を行い、且つ保守・運用・管理ディスカバリ（ＯＡＭ（Ｏｐｅｒａｔｉｏｎ  Ａｄｍｉｎｉｓｔｒａｔｉｏｎ  ａｎｄ  Ｍａｎａｇｅｍｅｎｔ）  Ｄｉｓｃｏｖｅｒｙ）処理を行って、ＰＯＮリンク確立を再度行って、データ送受信（データ疎通）を開始する。
【０００６】
又ＯＬＴと光カプラを介してＯＮＵを接続してＰＯＮシステムを構築した時、及び新たにＯＮＵを追加接続した時に、ＯＬＴにＯＮＵを登録するＰＯＮリンク確立処理を行うものであり、その時に、ＯＬＴとＯＮＵとの間の往復遅延時間ＲＴＴ（Ｒｏｕｎｄ  Ｔｒｉｐ  Ｔｉｍｅ）の計測処理を行い、ＯＬＴは、このＲＴＴを参照して、各ＯＮＵに対する送信許可のタイミング指示を行って、ＯＬＴに対する各ＯＮＵからのデータフレームが時間的に重複しないように制御する手段が提案されている（例えば、特許文献１参照）。又Ｂ−ＰＯＮ（Ｂｒｏａｄｂａｎｄ  Ｐａｓｓｉｖｅ  Ｏｐｔｉｃａｌ  Ｎｅｔｗｏｒｋ）等に於いて、データ伝送装置間のＲＴＴを計測し、このＲＴＴを参照して、データ伝送の帯域割り当て制御を行う手段が提案されている（例えば、特許文献２参照）。
【特許文献１】特開２００３−２４１７８号公報
【特許文献２】特開２００３−２５８８３号公報
【発明の開示】
【発明が解決しようとする課題】
【０００７】
従来のダブルスター方式のＰＯＮシステムに於いては、光ファイバからなる光伝送路が断となった場合、光信号受信レベルの低下により断検出を行って、ＰＯＮリンク断とするものであり、光伝送路が復旧し、光信号受信レベルが正常となった後、例えば、図５に示すように、ＯＬＴと複数のＯＮＵとの間で、それぞれＯＮＵ対応に、ディスカバリ処理を行ってＰＯＮリンク確立を行い、このＰＯＮリンク確立後に光信号によるデータ伝送を開始することになる。従って、図４に示すＰＯＮシステムに於いて、光信号受信レベル低下により、現用系の光伝送路の断を検出してＰＯＮリンク断とし、光スイッチ４３により予備系の光伝送路に切替えることにより、光信号受信レベルが正常となり、その時に、ＰＯＮリンク確立処理を行うものであり、ＰＯＮリンク確立処理は、図５に示すように、Ｐ２ＭＰディスカバリ処理と、ＯＡＭディスカバリ処理とを含むものであり、現用予備切替構成を備えているＰＯＮシステムに於いても、光伝送路断検出によりＰＯＮリンク断とし、光スイッチ等の切替えにより光伝送路を復旧させた後、ＰＯＮリンク確立処理を行うものであるから、各ＯＮＵに於ける送信要求データの送信待ち時間が長くなる。即ち、ＰＯＮリンク断後のレイテンシが大きくなる問題点があったが、このような問題点は、前述の従来例を示す特許文献１，２にも開示されていない。
【０００８】
本発明は、従来の問題点を解決することを目的とし、光信号受信レベル低下による光伝送路断検出時に、所定期間はＰＯＮリンク確立状態を維持し、ＰＯＮリンク断によるディスカバリ処理を省略可能とし、レイテンシ抑制を可能とするものである。
【課題を解決するための手段】
【０００９】
本発明のＰＯＮシステムは、光加入者線収容装置と、複数の光加入者線終端装置とを、光カプラを介して光伝送路により接続したＰＯＮシステムであって、光加入者線終端装置は、光加入者線収容装置から光カプラを介した受信光信号レベルが所定値以下に低下したことを検出して光伝送路断検出信号を出力する信号検出手段と、この信号検出手段による光伝送路断検出信号を所定時間経過後まで出力しないように保持する状態保持手段と、この状態保持手段により保持された光伝送路断検出信号が出力されない時はＰＯＮリンク確立状態を維持し、状態保持手段により保持された光伝送路断検出信号が出力された時にＰＯＮリンク断処理を行うＰＯＮリンク処理手段とを含む構成を備えている。
【００１０】
又光加入者終端装置は、状態保持手段により光伝送路断検出信号を保持して出力しない期間内の信号検出手段による光伝送路正常検出信号により、光加入者線収容装置に異常通知を行う手段と、光加入者線収容装置との間のレンジング処理を行う手段とを含む構成を備えている。
【発明の効果】
【００１１】
従来は、光伝送路断等によるＰＯＮリンク断となった後、復旧した場合のＰＯＮリンク確立を行う為に、図５に示すように、Ｐ２ＭＰ  Ｄｉｓｃｏｖｅｒｙ、ＯＡＭ  Ｄｉｓｃｏｖｅｒｙの処理を行うもので、具体的には、Ｐ２ＭＰ  Ｄｉｓｃｏｖｅｒｙは、ＯＬＴ４１からディスカバリ・ゲート（Ｄｉｓｃｏｖｅｒｙ  Ｇａｔｅ）、レジスタ（Ｒｅｇｉｓｔｅｒ）、ノーマル・ゲート（Ｎｏｒｍａｌ  Ｇａｔｅ）をそれぞれ送信し、ＯＮＵ４６からレジスタ・リクエスト（Ｒｅｇｉｓｔｅｒ−Ｒｅｑｕｅｓｔ）、レポート（Ｒｅｐｏｒｔ）、レジスタＡＣＫ（Ｒｅｔｉｓｔｅｒ−ＡＣＫ）をそれぞれ送信する。又ＯＡＭ  Ｄｉｓｃｏｖｅｒｙは、ＯＬＴ４１から、インフォメーションＯＡＭ（Ｉｎｆｏｒｍａｔｉｏｎ  ＯＡＭ）を２フレーム、ＯＮＵ４６から、インフォメーションＯＡＭ（Ｉｎｆｏｒｍａｔｉｏｎ  ＯＡＭ）を１フレーム送信する。このようなＰＯＮリンク確立シーケンスに要するＯＮＵ１台当たりの時間は、例えば、約１２０ｍｓ程度となる。従って、図４に示すように、３２台のＯＮＵ４６が接続されているＰＯＮシステムに於いては、３２台のＯＮＵ４６対応に処理されるから、約１２０ｍｓの３２倍の３，８４０ｍｓ程度のレイテンシとなる。これに対して、本発明によると、光伝送路の断によっても、状態保持手段により光伝送路断検出信号を所定期間保持することにより、ＰＯＮリンク確立状態が保持され、その保持期間内に光伝送路が正常状態に復帰すると、光伝送路に異常があったことから、ＰＯＮリンク確立処理の一部の処理のみ実行してデータ伝送を再開させるもので、その場合、ＯＬＴからノーマル・ゲート（Ｎｏｒｍａｌ  ＧＡＴＥ）、インフォメーションＯＡＭ（Ｉｎｆｏｒｍａｔｉｏｎ  ＯＡＭ）をそれぞれ１フレーム、ＯＮＵからリクエスト（Ｒｅｐｏｒｔ）を１フレーム、インフォメーションＯＡＭ（Ｉｎｆｏｒｍａｔｉｏｎ  ＯＡＭ）を２フレーム送信する程度で済むことになり、１台のＯＮＵ当たり、４フレーム分削減することが可能となる。従って、３２台のＯＮＵをＯＬＴに接続したＰＯＮシステムの場合は、１２８フレーム分を削減することができるから、従来例に比較して大幅にレイテンシの短縮が可能となる利点がある。
【発明を実施するための最良の形態】
【００１２】
本発明のＰＯＮシステムは、光加入者線収容装置（ＯＬＴ）と、複数の光加入者線終端装置（ＯＮＵ）とを、光カプラを介して光伝送路により接続したＰＯＮシステムであって、光加入者線終端装置（ＯＮＵ）は、光加入者線収容装置（ＯＬＴ）から光カプラを介した受信光信号レベルが所定値以下に低下したことを検出して光伝送路断検出信号を出力する信号検出部等の信号検出手段と、この信号検出手段による光伝送路断検出信号を所定時間経過後まで出力しないように保持する状態保持部等の状態保持手段と、この状態保持手段により保持された光伝送路断検出信号が出力されない時はＰＯＮリンク確立状態を維持し、状態保持手段により保持された光伝送路断検出信号が出力された時にＰＯＮリンク断処理を行うＰＯＮリンク処理手段とを含む構成を備えている。
【実施例１】
【００１３】
本発明のＰＯＮシステムは、ＯＬＴと複数のＯＮＵとを光カプラと光伝送路とを介して接続したダブルスター方式の基本構成を有し、その場合のＯＬＴの要部構成を図１に示す。同図に於いて、１はＯＬＴ、２は光信号モジュール（ＯＭＤ；Ｏｐｔｉｃａｌ  Ｍｏｄｕｌｅ）、３は直並列変換部（ＳＥＲＤＥＳ）、４はＭＡＣ部、５は局側インタフェース物理層部（ＳＮＩ  ＰＨＹ；Ｓｙｓｔｅｍ  Ｎｅｔｗｏｒｋ  Ｉｎｔｅｒｆａｃｅ  Ｐｈｙｓｉｃａｌ  Ｌａｙｅｒ）、６はＳＮＩ（Ｓｙｓｔｅｍ  Ｎｅｔｗｏｒｋ  Ｉｎｔｅｒｆａｃｅ）コネクタ、７はＰＯＮブリッジ部、８はＬＬＩＤ（論理リンク識別子；Ｌｏｇｉｃａｌ  Ｌｉｎｋ  ＩＤ）処理部、９はフレーム生成部、１０はＭＰＣＰ（Ｍｕｌｔｉ−Ｐｏｉｎｔ  Ｃｏｎｔｒｏｌ  Ｐｒｏｔｏｃｏｌ）処理部、１１はＯＡＭ（Ｏｐｅｒａｔｉｏｎ  Ａｄｍｉｎｉｓｔｒａｔｉｏｎ  ａｎｄ  Ｍａｎａｇｅｍｅｎｔ）処理部を示す。又ＰＯＮ−ＩＦは加入者側インタフェースとしてのＰＯＮインタフェース、ＳＮＩは局側インタフェースを示す。
【００１４】
光信号モジュール２は、加入者側インタフェースとしてのＰＯＮインタフェースＰＯＮ−ＩＦを介して光信号の送受信を行う為の電気信号と光信号との相互の変換手段を含むものであり、直並列変換部３は、光信号モジュール２により変換した受信信号をＭＡＣ部４に於いて処理可能とするように並列化し、又ＭＡＣ部４からの並列信号を直列信号に変換して光信号モジュール２へ転送する。ＭＡＣ部４は、ＰＯＮブリッジ部７、ＬＬＩＤ処理部８、フレーム生成部９、ＭＰＣＰ処理部１０、ＯＡＭ処理部１１等を含む物理層処理機能を有するもので、ＯＮＵ側からＰＯＮインタフェースを介して受信した光信号のユーザデータフレームは、光信号モジュール２により電気信号に変換し、直並列変換部３により並列信号に変換してＭＡＣ部４へ転送する。ＰＯＮブリッジ部７は、このユーザデータフレームを局側インタフェース物理層部５へ転送し、ＳＮＩコネクタ６を介してネットワーク（図示せず）に転送する。又ＳＮＩコネクタ６を介して受信したユーザデータフレームは、局側ＳＮＩインタフェース物理層５からＭＡＣ部４のＰＯＮブリッジ部７へ転送し、ＬＬＩＤ処理部８に登録されたＯＮＵ側のＬＬＩＤ対応の所定のタイミングで直並列変換部３を介して光信号モジュール２へ転送し、光信号に変換してＯＮＵ側へ送出する。
【００１５】
又ＯＮＵ側からＰＯＮインタフェースを介して受信した光信号の制御フレームは、光信号モジュール２により電気信号に変換し、直並列変換部３により並列信号に変換してＭＡＣ部４へ転送し、ＭＡＣ部４のＰＯＮブリッジ部７からＬＬＩＤ処理部８へ転送する。ＬＬＩＤ処理部８は、プリアンブル部に付与された例えば２バイト構成のＬＬＩＤ（論理リンクＩＤ）を確認し、制御フレームの種別に従って、ＭＰＣＰ処理部１０又はＯＡＭ処理部１１へ転送する。ＭＰＣＰ処理部１０は、ＯＮＵを追加接続した場合、そのＯＮＵを登録する為のディスカバリ（Ｄｉｓｃａｖｅｒｙ）処理と、ＯＮＵとの間のタイミング調整等を行うレンジング・タイミング（Ｒａｎｇｉｎｇ  Ｔｉｍｉｎｇ）処理と、ＯＮＵに送信タイミングを通知するゲート（Ｇａｔｅ）処理等の機能を含むものであり、ＰＯＮシステム立上げ時や、ＯＮＵ側の光伝送路断検出後の復旧時に於いて、ＯＮＵの送信タイミングの再調整処理等を行うものである。
【００１６】
図２は、本発明の実施例１のＯＮＵの説明図であり、２１はＯＮＵ、２２は光信号モジュール（ＯＭＤ）、２３は直並列変換部（ＳＥＲＤＥＳ）、２４はＭＡＣ部、２５は加入者側インタフェース物理層部（ＵＮＩ  ＰＨＹ；Ｕｓｅｒ  Ｎｅｔｗｏｒｋ  Ｉｎｔｅｒｆａｃｅ  Ｐｈｙｓｉｃａｌ  Ｌａｙｅｒ）、２６はＵＮＩ（Ｕｓｅｒ  Ｎｅｔｗｏｒｋ  Ｉｎｔｅｒｆａｃｅ）コネクタ、２７はＰＯＮブリッジ部、２８はＬＬＩＤ（論理リンク識別子；Ｌｏｇｉｃａｌ  Ｌｉｎｋ  ＩＤ）処理部、２９はフレーム生成部、３０はＭＰＣＰ（Ｍｕｌｔｉ−Ｐｏｉｎｔ  Ｃｏｎｔｒｏｌ  Ｐｒｏｔｏｃｏｌ）処理部、３１はＯＡＭ（Ｏｐｅｒａｔｉｏｎ  Ａｄｍｉｎｉｓｔｒａｔｉｏｎ  ａｎｄ  Ｍａｎａｇｅｍｅｎｔ）処理部、３２は信号検出手段を構成する信号検出部、３３は状態保持手段を構成する状態保持部を示す。又ＰＯＮ−ＩＦは局側インタフェースとしてのＰＯＮインタフェース、ＵＮＩは加入者側インタフェースを示す。又ＬＬＩＤ処理部２８とＭＰＣＰ処理部３０とＯＡＭ処理部３１とを含む機能によりＰＯＮリンク処理手段を構成している。
【００１７】
ＰＯＮインタフェース（ＰＯＮ−ＩＦ）を介して受信したユーザデータフレームは、光信号モジュール２２により電気信号に変換し、直並列変換部２３により並列信号に変換してＭＡＣ部２４へ転送する。ＭＡＣ部２４のＰＯＮブリッジ部２７は、ユーザデータフレームが自ＯＮＵに割り当てられたタイミングで、且つＬＬＩＤ処理部２８に自ＯＮＵのＬＬＩＤとして設定登録されたＬＬＩＤを含むユーザデータフレームを識別して、加入者側インタフェース物理層部２５へ転送し、ＵＮＩコネクタ２６を介してユーザ端末へ送出する。又ＳＮＩコネクタ２６を介して受信したユーザデータフレームは、局側ＳＮＩインタフェース物理層２５からＭＡＣ部２４のＰＯＮブリッジ部２７へ転送し、所定のタイミングで、直並列変換部２３を介して光信号モジュール２２へ転送し、光信号に変換してＯＬＴ側へ送出する。
【００１８】
又ＰＯＮインタフェース（ＰＯＮ−ＩＦ）を介して受信した制御フレームは、ユーザデータフレームと同様に、光信号モジュール２２により電気信号に変換し、直並列変換部２３により並列信号に変換してＭＡＣ部２４へ転送する。ＭＡＣ部２４のＰＯＮブリッジ部２７は、ユーザデータフレームと区別して、ＬＬＩＤ処理部２８へ転送する。ＬＬＩＤ処理部２８は、プリアンブル部に付与された２バイト構成のＬＬＩＤ（論理リンクＩＤ）を確認し、その制御フレームの種別に従って、ＭＰＣＰ処理部３０又はＯＡＭ処理部３１へ転送する。
【００１９】
又信号検出部３２は、光信号モジュール２２の受信光信号を電気信号に変換する光電変換部の出力信号レベルを基に、受信光信号レベルを検出し、所定値以下に低下した場合は、光伝送路断検出信号とし、又所定値以上の場合は光伝送路正常検出信号とする信号検出手段を構成するものであり、光検出信号レベルと設定基準レベルと比較する比較検出手段等により構成することができる。この信号検出部３２の検出信号を状態保持部３３とＯＡＭ処理部３１とに対して転送する。状態保持部３３は、信号検出部３２からの光伝送路断検出信号を所定期間保持し、その所定期間内では、前の正常状態の検出信号を保持してＭＰＣＰ処理部３０へ転送する状態保持手段を構成する。
【００２０】
この状態保持部３３により、光伝送路断検出信号を保持してＭＰＣＰ処理部３０へ転送しないから、ＰＯＮリンク確立の状態を維持することができる。そして、所定期間経過すると、光伝送路の復旧に要する時間が長く、データ伝送を停止する必要があることから、光伝送路断検出信号をＭＰＣＰ処理部３０へ転送し、ＰＯＮリンク断の処理を行うことになる。なお、状態保持部３３は、光伝送路断検出信号の保持期間内に、信号検出部３２からの光伝送路正常検出信号が転送されると、光伝送路断検出信号を消去して、所定期間経過時にも、光伝送路断検出信号のＭＰＣＰ処理部３０への転送を行わない。即ち、状態保持部３３は、メモリとタイマとを組み合わせた構成等により容易に実現可能であり、又ソフトウェア処理によっても実現可能である。
【００２１】
又ＯＡＭ処理部３１は、信号検出部３２からの光伝送路断検出信号により、ＯＬＴへ光伝送路断のイベント通知するＯＡＭフレームを形成して送信する処理を行う。なお、光信号モジュール２２の光信号受信側の光電変換素子等の障害発生の場合も、信号検出部３２は受信光信号レベルの低下として、光伝送路断検出信号を出力することになり、前述のように、ＯＡＭフレームによりＯＬＴに対してイベント通知が可能であるが、光信号を伝送する光伝送路が断状態となると、このＯＡＭフレームを光信号モジュール２２からＯＬＴへ送出することができない。そして、光伝送路断検出後、現用予備切替え等により光伝送路が正常に復旧すると、信号検出部３２から状態保持部３３と光伝送路正常検出信号がＯＡＭ処理部３１へ光伝送路正常検出信号を転送する。状態保持部３３は光伝送路断検出信号を消去し、又ＯＡＭ処理部３１は、光伝送路正常のイベント通知のＯＡＭフレームを、フレーム生成部２９を制御して形成し、ＬＬＩＤ処理部２８、ＰＯＮブリッジ部２７、直並列変換部２３、光信号モジュール２２を介して、ＯＬＴに送信し、ＰＯＮリンク断を行うことなく、光伝送路の異常があったことを通知する。
【００２２】
ＯＬＴは、ＯＮＵからのＯＡＭフレームによる光伝送路異常のイベント通知により、例えば、現用予備切替えによる光伝送距離の変化が生じる場合もあるから、ＯＬＴ側からＯＮＵ側へ時刻情報を通知し、ＯＮＵ側は、その時刻情報を基に自ＯＮＵの送信時刻情報をＯＬＴ側に通知し、ＯＬＴ側の受信時刻情報によってＲＴＴを求めて、送受信タイミングの再調整を行うレンジング処理を行い、再調整後は、前の正常状態と同様に、光信号によるＯＬＴと複数のＯＮＵとの間の光信号による送受信処理を継続することができる。従って、従来例のように、光伝送路断検出により、ＰＯＮリンク断とし、光伝送路正常復帰時に、Ｐ２ＭＰディスカバリ処理とＯＡＭディスカバリ処理とを行う場合に比較して、簡単となり、それによって、レイテンシ抑制が可能となる。
【００２３】
図３は、本発明の実施例１のシーケンス説明図であり、ＯＬＴとＯＮＵとの間で、データ送受信が行われている（データ疎通）時に、光伝送路断（幹線断発生）により、ＯＮＵの信号検出部３２は受信光信号レベル低下により光伝送路断検出（信号検知断）を行って、その検出信号を、状態保持部３３とＯＡＭ処理部３１とに転送する。状態保持部３３は、光伝送路断検出信号を保持するが、この光伝送路断検出信号をＭＰＣＰ処理部３０へ転送しない。それによって、ＰＯＮリンク確立は保持された状態（ＰＯＮ  Ｌｉｎｋ保持）を継続する。この状態で、現用予備切替え等により信号検出部３２は受信光信号レベルの復旧を検出（幹線切替復旧）すると、信号検出部３２からの光伝送路正常検出信号をＯＡＭ処理部３１に転送する。それにより、ＯＡＭ処理部３０は、フレーム生成部２９からイベント通知のＯＡＭフレームを形成してＯＬＴ側へ送信する（ＯＡＭ異常通知）。そして、ＯＬＴは、イベント通知のＯＡＭフレームを受信して、ＯＮＵとの間の異常発生を認識し、距離測定とタイミング調整とを行うレンジング（Ｒａｎｇｉｎｇ）処理を行い、ＯＬＴは、ＯＮＵに対して異常状態が回復したことをＯＡＭフレームにより通知し（ＯＡＭ状態回復通知）、ＯＬＴとＯＮＵとの間のデータ送受信が再開される（データ疎通）。
【００２４】
光信号受信レベル低下検出による光伝送路断検出時には、ＰＯＮリンク断とする従来例の場合、図５に示すように、光伝送路の復旧処理後に、Ｐ２ＭＰディスカバリと、ＯＡＭディスカバリとの処理によりＰＯＮリンク確立処理を行うものであり、このＰＯＮリンク確立処理は、前述のように、Ｐ２ＭＰディスカバリ処理では、ＯＬＴから、全ＯＮＵに対する送信許可メッセージのディスカバリ・ゲート（Ｄｉｓｃｏｖｅｒｙ  Ｇａｔｅ）、ＬＬＩＤ通知のレジスタ（Ｒｅｇｉｓｔｅｒ）、ノーマル・ゲート（Ｎｏｒｍａｌ  Ｇａｔｅ）を送信し、又ＯＮＵから、登録要求のレジスタ・リクエスト（Ｒｅｇｉｓｔｅｒ−Ｒｅｑｕｅｓｔ）、送信要求データ量等を含むレポート（Ｒｅｐｏｒｏｔ）、レジスタＡＣＫ（Ｒｅｇｉｓｔｅｒ−ＡＣＫ）を送信する。又ＯＡＭディスカバリでは、ＯＬＴから、インフォメーションＯＡＭ（Ｉｎｆｏｍａｔｉｏｎ  ＯＡＭ）を２フレーム送信し、ＯＮＵから、インフォメーションＯＡＭ（Ｉｎｆｏｒｍａｔｉｏｎ  ＯＡＭ）を１フレーム送信することになる。
【００２５】
これに対して、前述の実施例１に於いては、信号検出部３２による光信号受信レベル低下による光伝送路断検出時に、ＯＡＭ処理部３１に通知するが、状態保持部３３により光伝送路断検出信号を保持して出力しないから、ＰＯＮリンク確立状態を継続する。そして、例えば、現用系の光伝送路から予備系の光伝送路に切替える等の処理により、信号検出部３２による受信光信号レベルが正常に復帰すると、図３に於けるレンジング（Ｒａｎｇｉｎｇ）処理として、ＯＬＴから、ノーマル・ゲート（Ｎｏｒｍａｌ  Ｇａｔｅ）、インフォメーションＯＡＭ（Ｉｎｆｏｒｍａｔｉｏｎ  ＯＡＭ）をそれぞれ１フレーム送出し、ＯＮＵから、レポート（Ｒｅｐｏｒｔ）を１フレーム、インフォメーションＯＡＭ（Ｉｎｆｏｒｍａｔｉｏｎ  ＯＡＭ）を２フレームそれぞれ送出することにより、図３に於けるＯＡＭ状態回復通知を行って、データ疎通の状態となり、ＯＬＴと複数のＯＮＵとの間で、時分割的なデータ伝送を再開することになる。従って、従来例のＰＯＮリンク確立処理によってデータ伝送を再開する場合に比較して、少ないフレーム数の送受信によりデータ伝送を再開することができるから、各ＯＮＵに於ける送信データのレイテンシを抑制することができる。
【図面の簡単な説明】
【００２６】
【図１】本発明の実施例１のＯＬＴの説明図である。
【図２】本発明の実施例１のＯＮＵの説明図である。
【図３】本発明の実施例１のシーケンス説明図である。
【図４】ＰＯＮシステムの概要説明図である。
【図５】従来例のシーケンス説明図である。
【符号の説明】
【００２７】
１  光加入者線収容装置（ＯＬＴ）
２  光信号モジュール（ＯＭＤ）
３  直列並列変換部（ＳＥＲＤＥＳ）
４  ＭＡＣ部（ＭＡＣ）
５  局側インタフェース物理層部（ＳＮＩ  ＰＨＹ）
６  ＳＮＩコネクタ
７  ＰＯＮブリッジ部
８  ＬＬＩＤ処理部
９  フレーム生成部
１０  ＭＰＣＰ処理部
１１  ＯＡＭ処理部
２１  光加入者線終端装置（ＯＮＵ）
２２  光信号モジュール（ＯＭＤ）
２３  直並列変換部（ＳＥＲＤＥＳ）
２４  ＭＡＣ部
２５  加入者側インタフェース物理層部（ＵＮＩ  ＰＨＹ）
２６  ＵＮＩコネクタ
２７  ＰＯＮブリッジ部
２８  ＬＬＩＤ処理部
２９  フレーム生成部
３０  ＭＰＣＰ処理部
３１  ＯＡＭ処理部
３２  信号検出部
３３  状態保持部
【図１】
2009065341.tif 000003
【図２】
2009065341.tif 000004
【図３】
2009065341.tif 000005
【図４】
2009065341.tif 000006
【図５】
2009065341.tif 000007